(57)【要約】  調節可能な設備用架台は、剛性フレームを形成するために相互に連結可能な、対向する第１および第２の長さ調節可能な側面と、対向する長さ調節可能な第１および第２の端面とをそれぞれ有する上側フレームおよび下側フレームと、高さ調節可能な取付用脚部とを有する。下側フレームは単独で使用してもよく、または上側および下側両方のフレームに固定されているマウントとマウント間の衝撃吸収スプリングとを有する衝撃マウントシステムにより上側フレームを支持してもよい。フレームは相互連結する溝部材から形成してもよく、下側フレームの溝部材は施される下地材と合わせて音波減衰を提供する有孔構造であってもよい。フレームのいずれかに耐震ブラケットを固定して、地震の衝撃への耐性および発生モーメント抵抗を提供してもよい。
2013512355.tif 000002
【特許請求の範囲】
【請求項１】
剛性フレームを形成するために相互連結される、対向する第１および第２の長さ調節可能なフレームの側面と、対向する長さ調節可能な第１および第２の端面とをそれぞれ有する上側フレームおよび下側フレームと、
前記上側フレームの前記側面および端面はその上に１台の設備を支持する上面を有しており、前記下側フレームは架台を支持面に取り付ける架台支持手段を有しており、
前記上側フレームを前記下側フレーム上で弾性的に支持する支持手段と、
を備える、調節可能な設備用架台。
【請求項２】
前記フレームの側面は中央パネルに摺動可能に相互連結されている第１および第２の端面パネルを備えることを特徴とする、請求項１の架台。
【請求項３】
前記フレームの端面は摺動可能に相互連結されている第１および第２のパネルを備えることを特徴とする、請求項１または２の架台。
【請求項４】
前記上側フレームの端面は、前記第２パネルに摺動可能に相互連結されている第３パネルを備えることを特徴とする、請求項３の架台。
【請求項５】
前記上側および下側フレームの側面の端部および中央パネルは垂直折返しを備え、断面がＣ字形であることを特徴とする、請求項２の架台。
【請求項６】
前記フレームの端面の前記パネルは垂直折返しを備え、断面がＣ字形であることを特徴とする、請求項４の架台。
【請求項７】
前記上側および下側フレームの側面を前記それぞれのフレームの端面に連結させるアングル部材をさらに備える、請求項１または２の架台。
【請求項８】
前記架台支持手段は、前記下側フレームに取り付けられる下側ハウジングと、前記上側フレームに取り付けられる上側ハウジングとを有する少なくとも１つのマウントアセンブリを備えることを特徴とする、請求項１または２の架台。
【請求項９】
複数のマウントアセンブリは前記架台の前記側面に沿って配置されることを特徴とする、請求項８の架台。
【請求項１０】
前記支持手段は、前記架台の各側面に沿って取り付けられる３つのマウントアセンブリを備えており、前記マウントアセンブリのそれぞれが前記下側フレームの側面のそれぞれに取り付けられる下側ハウジングと、上側フレームの側面に取り付けられる対応する上側ハウジングとを備えることを特徴とする、請求項２の架台。
【請求項１１】
前記支持手段は、前記上側ハウジングと前記下側ハウジングとの間にスプリングシステムをさらに含むことを特徴とする、請求項１０の架台。
【請求項１２】
少なくとも１つの下側ハウジングは下側フレームの側面端部に取り付けられて、前記下側フレームの側面を隣接する下側フレームの端面に相互連結させる手段を含むことを特徴とする、請求項１０の架台。
【請求項１３】
前記スプリングシステムはスプリング張力調節手段を含むことを特徴とする、請求項１１の架台。
【請求項１４】
剛性フレームを形成するために相互連結される、対向する第１および第２の長さ調節可能なフレームの側面と、対向する長さ調節可能な第１および第２の端面とを備えており、前記フレームの前記側面および端面のうちの少なくとも１つはその上に１台の設備を支持する上面を有し、前記フレームは架台を支持面に取り付ける架台支持手段を有する、調節可能な設備用架台。
【請求項１５】
前記フレームの側面は中央パネルに摺動可能に相互連結されている第１および第２の端面パネルを備えることを特徴とする、請求項１４の架台。
【請求項１６】
前記フレームの端面は摺動可能に相互連結されている第１および第２のパネルを備えることを特徴とする、請求項１４または１５の架台。
【請求項１７】
前記架台支持手段は前記下側フレームに取り付けられるハウジングを有する少なくとも１つのマウントアセンブリを備えることを特徴とする、請求項１４の架台。
【請求項１８】
少なくとも１つのハウジングがフレームの側面端部に取り付けられており、前記フレームの側面を隣接する下側フレームの端面に相互連結させる手段を含むことを特徴とする、請求項１７の架台。
【請求項１９】
前記架台支持手段は、前記ハウジング内で調節可能に位置づけ可能で、ハウジングから下方に延びている脚部をさらに備える、請求項１７の架台。
【発明の詳細な説明】
【技術分野】
【０００１】
本発明は、屋根上設備および同様な他のものなどのための、新規で改良された取付具または架台に関する。
【背景技術】
【０００２】
商業用および工業用の暖房、換気および空調設備は、典型的には屋根または他の屋外に、設備によって空気を処理する施設に関しておおむね水平面に取り付けられる。設備の仕様および特徴ならびにその製造者と設備の場所に応じて、設備をそのマウントにより装着する取付面と同じく、設備のサイズおよび設置面積は大きく変動する。設備は、屋根または他の面に直接置かれるのではなく、枠組または「架台」によってその上に支持される。架台を屋根に締結してから、設備を架台に取り付ける。従来の架台は、設備の重量を支持しつつ、典型的には振動もしくはノイズを隔離すること、または地震力もしくは風荷重に耐えることができない。
【０００３】
設備の設置面積は多様であるため、特定の設備を取り付けるために利用される架台は、設備の設置面積のサイズと一致していなければならない。適切に一致させるには、複数の異なるサイズの架台の在庫をもたなければならないか、または取り付ける特定の設備に対応するために、製造工場または据付現場のいずれかで、架台を特注製造しなければならない。いずれの選択肢も、効率的でないかまたは費用効果的ではない。
【発明の概要】
【発明が解決しようとする課題】
【０００４】
したがって、本発明の目的は、多様な設備の設置面積に適合できる単一の設備用架台を提供し、そのため高い適応性を提供しながら架台構造の標準化を可能にすることである。
【０００５】
本発明のさらなる目的は、多様なサイズの設備および、架台を取り付ける面の多様な勾配に対応するために、複数の次元もしくは方向に独立して調節可能なユニバーサルな設備用架台を提供することである。
本発明のさらなる目的は、設備を支持できる剛性の取付システムであると同時に、振動およびノイズの隔離、地震力に対する耐力および風荷重耐性を提供しながら、経済的な構造と大きな適応性をもつ調節可能な架台を提供することである。
【課題を解決するための手段】
【０００６】
以上および他の目標および目的に従い、本発明による設備用架台は、架台を取り付けて、架台によって支持する設備をその上に配置する屋根または他の面に、典型的には、１または複数の開口を囲む１対の囲い枠を形成する、下側アセンブリと上側アセンブリとを備える。フレームのそれぞれは、対向する側面区分材および端面区分材を有しており、そのそれぞれがさらに、側面と端面の全長を特定の据付要件に合わせて個別に調節できる複数の伸縮式相互係合パネルからなる。このパネルは、高い精度で調節度と剛性度を提供するように構成され、互いに噛み合うような寸法にされている溝部材として構成することが好ましい。パネルは、好ましくは、ノイズ減衰および熱保護を提供する構造であってもよい。
【０００７】
上側フレームは、スプリング部材を有する堅固でありながらも弾性的な連結を提供する取付システムによって下側フレームに取り付けられているので、上側フレームの上に取り付けられている設備を、下側フレームを取り付けている構造物から分離する。当該分離を望まない場合には、上側フレームを使用せず、設備を直接下側フレームに取り付ける。
【０００８】
下側フレームには、架台を取り付ける屋根または構造物の輪郭もしくは傾斜とは関係なく、下側フレームを水平に保ちながら独立して調節可能な支持部材が設けられている。下側フレームはネイラーに対応するように適応させてもよく、ネイラーはさらに、架台と取付面との間の耐候性シールを提供する雨押えおよび同様なエレメントの連結点として機能する。
【０００９】
上側フレームおよび下側フレームはともに、取付設備との剛性連結を提供する耐震ブラケットを収受するので、取付設備は、地震の衝撃、および特に、架台の上側支持縁部に載せる設備の張り出しに依拠し、従来の取り付けでは耐えることのできない発生モーメントに耐えることが可能となる。
【図面の簡単な説明】
【００１０】
【図１】は、典型的な空調装置を据付のために配置している、本発明の架台の斜視図である。
【図２】は、本発明の架台と、これに連結して取り付けるために配置されている空調設備に関連する典型的なプレナムまたはダクトの斜視図である。
【図３】は、本発明の架台の分解斜視図である。
【図３Ａ】は、架台の側面の中央部の詳細図である。
【図３Ｂ】は、架台の角部の詳細図である。
【図４】は、必要なサイズに調節した架台の例示的な角部区分材の斜視図である。
【図５】は、ネイラーを配置した状態の下側フレームパネルの例示的断面図である。
【図６】は、据え付けられている架台の対向する側面または端面の間に取り付けるための内部プレナム支持フレームの上平面図である。
【図７】は、図６のフレームユニットのエレメントの入れ子構造を描いた代表的な断面図である。
【図８】は、プレナム支持フレームを架台フレームに取り付けるためのブラケットの立面図である。
【図９】は、プレナム支持フレームを架台フレームに取り付けるためのブラケットの立面図である。
【図１０】は、プレナム支持横材の平面図である。
【図１１】は、上側架台フレームを下側フレームで支持するためのマウントの分解図である。
【図１２】は、図１１のマウントの下側ハウジングの上平面図である。
【図１３】は、マウントの上側ハウジングの上平面図である。
【図１４】は、架台を基礎構造物に取り付けるための支持部材を詳図する下側フレームの一部の立面図である。
【図１５】は、ノイズ減衰用の構造を図示する１対の典型的なフレームパネルの斜視図である。
【図１６Ａ】は、耐震ブラケットの取り付けを図示する、図１１の上側ハウジングの斜視図である。
【図１６Ｂ】は、耐震ブラケットの取り付けを図示する、図１１の下側ハウジングの斜視図である。
【図１７】は、下側フレームの側面端部パネルの立面図である。
【図１８】は、下側フレームの側面中央パネルの立面図である。
【図１９】は、上側フレームの側面端部パネルの立面図である。
【図２０】は、上側フレームの側面中央パネルの立面図である。
【発明を実施するための形態】
【００１１】
本発明の好適であるが例示的な実施形態の以下の詳細な説明を、添付の図面と併せて見ながら検討することで、本発明のより深い理解が得られるであろう。
【００１２】
最初に図１および図２を参照すると、工業用空調装置１０など、従来の暖房、換気および空調設備が本発明の架台１２によって支持されている。架台１２は、空調装置を取り付ける上側フレーム１４と、屋根または他の支持面に取り付ける下側フレーム１６とを有する。あるいは、下側フレーム１６は上側フレーム１４なしで、取付設備を直接支持するために利用することもできる。上側フレーム１４および下側フレーム１６の長さと幅はともに、架台１２の寸法を空調装置１０の寸法に適合させられるように調節可能である。
【００１３】
空調装置１０は、空調装置の底部から屋根開口２０などの適合する取付面開口に、典型的には下方に延びている１または複数のダクトまたはプレナム１８に関連させて、空調装置への処理済みエアと空調装置からの戻りエアを導通させてもよい。また、類似のダクトが、配線やその他のもののために設けられてもよい。ダクトを支持してそれを適所に維持するために、装置を取り付ける上側フレーム１４の対向する側面または端面の間に１対の伸縮式サポート２２が延びており、ダクトのフランジの取付面を提供する。上側フレームを利用しない場合、サポートは下側フレームに固定してもよい。サポート２２はプレナム／ダクトを支持するのに適切で必要な位置に配置し、配列する。当業界で周知の雨押えシステムは、ネイラー（例えば図５を参照）を通して架台ユニットの外部側面に固定し、架台ユニットおよびその内部空間をエレメントからシールすることができる。
【００１４】
図３を参照すると、上側フレーム１４および下側フレーム１６のそれぞれは、フレームをサイズ調節可能なものにするために、入れ子状に折り畳まれる複数の嵌まり合うパネルから構成されている。下側フレーム１６はまず、対向する１対の相互係合端面パネル２４、２６を含む。下側フレーム１６は、下側フレームの対向する左右の側面のそれぞれをともに形成する、３枚の伸縮式側面パネル２８、３０、３２も含む。図３は、両方の端面パネル２４および２６を完全に分離した状態で図示するとともに（図示する架台の右端）、１対の端面パネル２４および２６を嵌め合わせて所望の全幅の寸法に調整した状態で図示している（図の左端に図示するとおり）。図３はさらに、側面パネル２８、３０、３２の第１セットを最終調節前に組み合わせた状態（架台の奥側に図示するとおり）と、架台の手前側の他のエレメントと係合した正しいサイズに整列させた状態とを図示している。
【００１５】
上側フレーム１４は同様の構造で、上側フレームの端面と側面の両方が３枚のパネルから形成されている。端面パネル３４、３６および３８は、必要な幅に合わせて調節できるように入れ子状に嵌合されており、伸縮式側面パネル４０、４２および４４は、必要な長さに合わせて調節できるように嵌合されている。
【００１６】
図５に図示するように、図示する端面パネル２６などの下側および上側両方のフレームの端面パネルおよび側面パネルのそれぞれは断面が略Ｃ字形で、垂直壁部４６は上下の水平壁４８で区画されている。１対の短い垂直折返し壁５０は互いに向かって内側に延びており、上にかぶさるパネルに関して、嵌まり合って伸縮する内側のパネルエレメントの捕捉を提供する。下側フレームの側面パネル２８、３２は同一の断面寸法になっており、中央側面フレームパネル３０がそれにぴったりと嵌まるような寸法にされている。同様に、上側フレームの側面パネル４０および４４は同一の断面寸法になっており、中央側面パネル４２はそれに嵌まるような寸法にされている。下側フレームの端面パネル２４および２６は、必要な嵌合を提供するように選択された異なる断面寸法になっている一方で、上側フレームの側面パネルアセンブリと同様な上側フレームの端面パネルは同じ断面寸法の外側パネル３４、３８を有しており、中央パネル３６は外側パネル内に嵌まるようなサイズにされている。
【００１７】
すべてのパネルは、例えば１６ゲージアルミニウムから形成してもよい。下側フレームを形成するパネルは高さが約１１インチで、端面パネル２４、２６はそれぞれ約３６インチの長さであってもよい。下側フレームの側面パネル２８、３２は長さが約２８インチで、中央パネル３０は５１インチの長さを有していてもよい。対応する上側フレームの側面パネル４０、４２、４４の長さは下側フレームの側面パネルと同じであり、上側フレームのパネルエレメントの高さは約３インチである。上側フレームの端面パネル３４、３８は長さが約２０インチで、中央パネル３６が３３インチの長さを有していてもよい。当該寸法のパネルは長さが６６から９６インチで、幅が４０から６１インチの架台に容易に組み立てることができる。
【００１８】
図１５に図示するように、下側フレームのパネルのそれぞれは、好ましくは有孔垂直壁部を設けて構成してもよい。孔は壁部の大部分に及んでいる。下側端面パネル２６など、パネルの相互係合される１対の第１の孔または開口５６は円形である一方で、下側端面パネル２４など、相互係合される１対の第２の孔５８は楕円形である。孔のサイズと間隔は、パネルが嵌合したときに整列して、パネルの総露出表面積の約２５パーセントの開放面積を提供するように選択される。楕円の主軸が水平方向に延びる開口のセットのうちの１つの楕円形状により、パネルを取付設備のサイズに適合するように側方に調節するときに、開放面積の範囲が実質的に維持される。
【００１９】
架台と架台を取り付ける構造物との間に耐候性シールを提供するために従来から架台の添え木５２に取り付けられている被覆下地材または遮蔽成形材と組み合わせた有孔パネルは、架台内から発生または伝達されるノイズの音波減衰システムを形成する。ノイズエネルギーは、剛性の中実壁によってノイズおよび振動の支持構造物への伝達に寄与するよう反射および吸収されるのではなく、孔によって架台壁を通過して、下地材により減衰および吸収される。
【００２０】
図３および図４をさらに参照すると、架台の組み立てた側面および端面を適切なサイズに調節するときに、個々の端面パネルおよび側面パネルをまとめて締結しやすくするように、端面パネルおよび側面パネルには、下側パネル２４、２８もしくは３２、または上側パネル４０、４４、３４もしくは３８の穴６０などの一連の穴を備えてもよい。フレームの側面パネル２８、３２および４０、４４ならびにフレームの端面パネル３４および３８は互いに鏡像であり、架台の反対側に同じパネルを使用できるようになっていることに留意するべきである。下側フレームの端面パネル２４、２６も鏡像にしてもよいが、必ずしもその必要はない。作業者は、一連の穴６０をガイドとして使用して、対応する嵌合されるパネルエレメントに穴を開け、パネルエレメントをまとめてナットおよびボルトまたは適切な他のコネクタで締結する。パネルの相互装着を幅広い範囲の所望の架台の長さおよび幅で一層行いやすくするために、穴のセットをパネルに沿った様々な位置に設けてもよい。嵌まり合うパネル対の両方のパネルには、一般的に見られる全体寸法に対応する位置に予め開けた穴を設けて、当該状況での穴開けの必要をなくしてもよい。
【００２１】
図４にさらに図示するように、下側および上側両方のフレームの端面パネルアセンブリおよび側面パネルアセンブリは、それぞれコーナーブラケット６４とハウジングブラケット９８でそれぞれの端部に互いに接合する。ブラケットはそれぞれ直角構造であり、０．１２５インチ厚の材料から形成してもよい。ハウジングブラケット９８は以下でさらに詳細に述べる。ブラケット６４は、上側フレームの側面と端面を、隣接する両側のフレームパネルおよび上側フレームの角部に配置されている上側ハウジング９６（以下述べる）間の相互連結を通して連結するのに十分な長さである。端面パネルの端部はそれぞれ隣接する側面パネルの端部に重なって、より頑丈な相互連結を提供する。コーナーブラケットと接合するパネルの端部との両方には、ナットとボルトシステムでブラケットをパネルに装着できる整列穴を備えてもよい。個々のパネルエレメントがともに、接合される各側面と端面を形成するとともに、対応する側面および端面構造をともに締結するので、要求に合わせた剛性の架台が形成される。
【００２２】
伸縮式プレナム／ダクトサポート２２は、側面パネルおよび端面パネルと同様の構造をしている。図６および図７に図示するように、ダクト支持アセンブリ６６は、横材６８によって接合される１対の伸縮式サポート２２を備える。図７に詳図するように、支持部材２２はそれぞれ、内側および外側の伸縮式区分材７０、７２を備える。内側区分材７０は断面がＣ字形である一方、外側区分材７２は同様なＣ字形の断面であるものの、内側に向いた垂直折返し部が側面パネルエレメントおよび端面パネルエレメントの構造と同様になっている。伸縮式支持区分材の先端は、図８および図９に図示されるようにブラケットを使用して架台フレームに取り付けられる。そこに図示されるように、端部ブラケット７４、７６はそれぞれ、上側フレームパネル４０または４４などのフレームパネルの内側向きの垂直面に対して適切な場所に取り付けられる、プレート７８を有する。ボルトを取り付けるために取付用穴８０を設けてもよい。溶接または同様な他の方法などによって、プレート７８に取り付けられるのはコネクタエレメント８２ａまたは８２ｂである。コネクタエレメント８２ｂは外側伸縮式区分材７２を収受し、そのため内側伸縮式区分材７０と断面が同一に構成される一方、内側伸縮式区分材７０と係合するためのコネクタエレメント８２ａは同様に、外側区分材７２と断面が同一に構成されている。各伸縮式サポート２２は必要な長さまで伸張し、そのそれぞれの端部が１対の整列ブラケット７４、７６によって捕捉される。外側伸縮式区分材７２にはその長さの一部に沿って一連の穴を設けて、１または複数の対応する整列穴を内側区分材に開けて、ネジなどの締め具をそこに挿入して内側区分材と外側区分材を合わせて接合し、所望の長さを維持するようにしてもよい。エレメント２２をそれにしっかり固定するために、伸縮式区分材の先端の穴とブラケット７４のコネクタエレメントの対応する穴も設けてもよい。
【００２３】
図１０はさらに横材６８の構造を図示している。平面図で示すように、横材は略Ｕ字形の構造をしており、下側に延びている１対の側壁８６が中央区分材８８によって接合されている。中央区分材８８は側壁の端部を超えて先端に延びて、それによって接合される伸縮式サポート２２の上面に着座する１対のフラットパネル取付部９０を提供する。横材６８は、穴９２から伸縮式サポート２２の上面に開けられている対応する穴にネジを挿入することによって、伸縮式サポートに締結されている。
【００２４】
架台が下側および上側両方のフレームを組み込んでいる場合、上側フレーム１４は図１１〜図１３に図示する一連のマウントアセンブリ９４によって下側フレーム１６に取り付けて、据え付ける設備と架台を取り付ける構造物との間の振動隔離を提供する、強力でありながらも弾性的な連結を提供する。マウントアセンブリのそれぞれは、上側フレーム１４に取り付けられている上側ハウジング９６と、下側フレーム１６に取り付けられている下側ハウジング９８とを含む。スプリングシステム１００はその間に延びている。下側ハウジングは、上側フレームも採用されるかどうかに関係なく、下側フレームの角部を接合する役目も果たすため当該角部に配置される。
【００２５】
上側ハウジング９６は立面図で略「Ｈ」の形状をしており、垂直脚部１０２が横水平プレート１０４を支持している。脚部１０２は底部プレート１０６を備えるアングル材から構成して、取り付けのために方形穴１０８を有してもよい。底部プレート１０６は、ナットとボルトアセンブリ１６２が取り付けられて貫通する取付用穴を有する。ボルトは下側ハウジング９８の受け穴１６４を貫通する。下側ナット１６６（破線で図示）により、フレーム間の最大相対垂直変位量を指定できる。水平プレート１０４は、スプリングアセンブリを収受するための取付フランジ１１０と中央穴１１２とを含んでもよい。
【００２６】
下側ハウジング９８は、垂直に延びているＵ字形の中央部１１６と、１対の対向する取付用翼１１８とを有する成形主垂直区分材１１４を含む。主区分材は、スプリングシステムを取り付ける中央穴１２２と１６２のボルト用の受け穴１６４とを有する、上部プレート１２０を支持している。垂直区分材１１４には方形の取付用穴１２６も設けられる。図１１および図１２にて破線で図示するように、いずれの取付用翼１１８も、下側端面パネル２４、２６の端部の穴と整列するように配置されている穴を備えた、後方に延びている直角パネル１１５を有してもよい。パネル１１５が延びている取付用翼１１８によっては、下側ハウジングは架台の右側または左側端部のいずれかに、側面パネルを端面パネルに相互連結させるために使用される。
【００２７】
スプリングシステム１００は、下側ハウジング９８の穴１２２を上側に貫通してスプリングエレメントを支持し、その後上側ハウジング９６の中央穴１１２を貫通する、主支持ボルト１２８を含む。ボルト１２８はナット１３０で下側ハウジングにしっかりと取り付けられている。スプリング調節ナット１３２は、ワッシャ１３４とスプリングカップ１３６とを支持する。主スプリング１３８は、その下端のスプリングカップ１３６とその上端のゴム緩衝ワッシャ１４０との間にある。上側ナット１４２は、ボルトおよびスプリングを上側ハウジングに保持する。スプリング１３８の有効伸長長さは、ボルト上の調節ナット１３２の位置によって制御される。スプリング１３８の特徴は、上側フレーム１４および装着される設備１０の荷重と、減衰しようとする予想振動力および他の力を考慮して、当業界で周知のように選択される。必要とされる場合には、スプリング１３８の予荷重は、調節ナット１３２の調節によって与えることができる。スプリングシステムは通常、上側ハウジングおよび下側ハウジングをそれぞれ上側架台フレームおよび下側架台フレームに取り付けた後に組み立てられる。
【００２８】
マウントアセンブリ９４は、図２および図３に図示するように、その対向する側面に沿って架台に取り付けられる。３つのアセンブリは架台の各側面に配置してもよい。図１７〜図２０は、マウントアセンブリを収納するための架台パネルの構造を図示している。図１８を参照すると、例示的な下側中央パネル３０には、下側ハウジング９８のＵ字形の中央部を収納するために、下側折返し壁５０と下側水平壁４８の両方に切欠き１４４が設けられている。上側折返し壁５０の対応する部分１４４’は取り除かれており、上側水平壁４８には、上部プレート１２０の穴１６４およびスプリングボルト１２８用の穴１４８に整列するように穴１４６が設けられている。垂直壁区分材４６の方形穴１５０はハウジング穴１２６に整列する。
【００２９】
図１７のパネル３２などの下側側面端部パネルは、同様に下側折返し壁５０および下側水平壁４８の両方に切欠き１４４と、取り除かれている上側折返し壁の対応する部分１４４’と、その上側水平壁４８に穴１４６、１４８と、その垂直壁区分材４６に方形穴１５０とを有する。
【００３０】
同様に、図２０に図示するパネル４２などの上側中央パネルは、上側ハウジング９６を収納するようなサイズおよび間隔にされている下側水平壁４８および折返し壁５０に中央切欠き１５４を、上側ハウジングの脚部１０２の前方張り出し部を収納するために上側折返し壁５０に１対の切欠き１５６を有しており、脚部１０２がさらに上側折返し壁の隣接部の背後に収納される。図１９に図示するパネル４４などの上側端面パネルは、下側水平壁４８および折返し壁５０の先端部を上壁５０の先端部とともに取り除いて、上側ハウジングを受けとめるために平坦部１５８となっている。中央パネルおよび端面パネルの両方に、ハウジングの取付用ボルトを収受するための方形の取付用穴１６０が設けられている。
【００３１】
図３の左上側に示すのは、パネル２８の端部に装着するために配置されている、例示的な下側ハウジング９８の向きである。パネルおよびハウジングの取付用穴の方形の形状は、対応するワッシャとナットをそこに締め付けるときにボルトが回転しないように、断面が方形のシャンク部を備えるボルトに対応する。提供される側面パネル２８および３２の長さは中央側面パネル３０の中央部が露出したままになるように企図されているため、下側ハウジング９８用の側面パネル３０の中央取付位置も常に利用できる。
【００３２】
マウントアセンブリの取り付けのさらに詳細な図を、図３Ａおよび図３Ｂに示している。図３Ａは中央側面パネル３０および４２に対するマウントアセンブリの配置を図示する一方、図３Ｂは外側の側面パネル３２および４４に対するマウントアセンブリの配置を図示している。
【００３３】
図３Ａに図示するように、上側マウントハウジング９６は側面パネル４２の垂直壁に当てられて着座しており、脚部１０２は中間縁部１６８の間の上側スロット１５６に嵌まり込み、上側ハウジングは上側フレームの下まで延びている。下側マウントハウジング９８は、切欠き１４４に整列している下側中央側面パネル３０の垂直壁に当たって据えられており、ハウジングの上端は上側水平壁４８の下になる。
【００３４】
図３Ｂはさらに、上側ハウジングおよび下側ハウジングを収納する端部の側面パネルの構造を図示している。上側ハウジング９６は、パネル４４の平坦な端部１５８に当てて据えられている。下側ハウジング９８は、下側側面端部パネル３２の垂直壁に当てて据えられており、ハウジングの上端は同様に上側水平壁４８の下になる。
【００３５】
下側ハウジング９８は、架台を屋根などの下部構造物に取り付ける手段のためのハウジングも提供する。図１４に図示するように、下側フレームは、支持チューブ１７０状の一連の脚部によって下部の支持構造物に取り付けられている。チューブ１７０のそれぞれは、下側ハウジング９８のＵ字形の中央部１１６（図１２を参照）と、下側ハウジングを取り付けるパネルの垂直壁部４６との間に形成される受け口に受けとめられるような寸法にされている。
【００３６】
下側ハウジングは、好ましくは、１１ゲージ材から形成される幅３インチ×深さ１．５インチのチューブにぴったりと嵌まるようなサイズにされている受け口を形成するような寸法とする。チューブは下側ハウジングの穴１２６と整列可能な方形穴１７２を有しているので、チューブを取付用ボルトによって下側ハウジングに固定させることができる。チューブは選択した穴を整列させることによって適切に垂直方向に調節してもよく、その全長は切断により、はじめに提供される長さから必要に応じて短縮することができる。チューブの長さは、取り付ける構造物の輪郭または傾斜に関係なく、架台を水平方向に取り付けて配向させるために他のチューブの長さに合わせて選ばれる。チューブ１７０は、典型的には、その下端で支持構造物の梁または他の実質的な構造エレメントに溶接される。
【００３７】
架台とそれを取り付ける面との間に耐候シールを施すために、図１および図５に図示するように、下側フレームパネルは一連の添え木５２を受けて支持するようになされている。これらの添え木は下側フレームパネルの上部の内部に、ネジ５４によって取り付けられる。添え木は、架台の組み立てサイズによって要求される長さに切断して配置し、架台と屋根または他の取付面との間に耐水性の界面を作るように、雨押えおよび同様な他のものなどといった、屋根ふき材料を施してもよい面を提供してもよい。
【００３８】
従来の架台は、地震の衝撃および発生モーメントに耐えるには装備が不十分である。したがって、図１６Ａおよび図１６Ｂに図示するように、本発明は設備と架台との間に剛性で堅固な連結を提供する耐震マウントのために供せられる。
【００３９】
図１６Ａは、上側ハウジング９４に取り付ける直角構造の耐震ブラケット１７４を図示している。ねじ込みブッシュまたはナット１７６は水平プレート１０４に溶接して、ブラケットをボルト１７８によってハウジングに固定できるようにする。スロット１８０により、ハウジング上のブラケットの垂直位置を、その上面が架台上に取り付けられている設備の下面に接触して配置できるように位置づけられる。ブラケットはネジまたは同様な他の手段で設備に接合してもよい。
【００４０】
図１６Ｂは、上側フレーム１４を採用しない場合の、支持される設備と係合させるための下側ハウジングへの同様なブラケット１７４の取り付けを図示している。図１１に図示する、整列穴１８４’が設けられている中央部１１６の上側内面にナット１８４を溶接して、ブラケットをボルト１７８によってハウジングに固定させてもよい。この場合もスロット１８０により、ハウジング上のブラケットの垂直位置を、その上面が取付設備の下面に接触して配置できるように位置づけられる。
【００４１】
上側および下側両方のフレームの側面および端面のそれぞれのパネルエレメントは、幅広い範囲の設備の設置面積に対応するように現場で容易に相互連結し、長さを調節してもよい。側面と端面は同様に互いに容易に接合されて、適切な寸法の剛性フレームを提供し、フレームはマウントアセンブリで相互連結される。非弾性マウントを望む場合は、上側フレームを取り付けなくてもよい。支持チューブは、架台を適切に整列させ、それを支持構造物にしっかりと固定させるように配向させ、下側マウントに締結する。取り付ける設備に関連するダクト配管の内部サポートも同様に、必要に応じて位置づけできる。全体をモジュラー構造にしたアプローチにより、従来の架台構造では不可能だった適応性を可能にする。
【００４２】
当業者は、添付の請求項を参考にしてさらに評価されるべきである本発明の精神から逸脱することなく、本明細書で詳述した特定の実施形態の変更および変型が実現できることを認識するであろう。
【図１】
2013512355.tif 000003
【図２】
2013512355.tif 000004
【図３】
2013512355.tif 000005
【図３Ａ】
2013512355.tif 000006
【図３Ｂ】
2013512355.tif 000007
【図４】
2013512355.tif 000008
【図５】
2013512355.tif 000009
【図６】
2013512355.tif 000010
【図７】
2013512355.tif 000011
【図８】
2013512355.tif 000012
【図９】
2013512355.tif 000013
【図１０】
2013512355.tif 000014
【図１１】
2013512355.tif 000015
【図１２】
2013512355.tif 000016
【図１３】
2013512355.tif 000017
【図１４】
2013512355.tif 000018
【図１５】
2013512355.tif 000019
【図１６Ａ】
2013512355.tif 000020
【図１６Ｂ】
2013512355.tif 000021
【図１７】
2013512355.tif 000022
【図１８】
2013512355.tif 000023
【図１９】
2013512355.tif 000024
【図２０】
2013512355.tif 000025